(57)【要約】【課題】  埋設された配管群の中から指定された配管を掘削露出した埋設管の途中で容易に特定できるようにする。【解決手段】  マンホール間の地中に埋設してある複数の埋設管のうち施工対象となる配管開口部から施工箇所まで専用音源１０を挿入する。施工箇所で掘削露出した複数の前記埋設管の外表面にピックアップユニット３２を当てて、配管内部から漏洩する音波を検出する。検出した音波を特定装置１２で増幅してイヤホンユニット３４へ出力し、イヤホンユニット３４で聞き分けることにより施工対象となる埋設管を特定する。この場合、レベル表示部４４を用いてもよい。【選択図】  図１
2005130569.tif 000002
【特許請求の範囲】
【請求項１】
マンホール間において掘削露出させた複数の埋設配管についての指定配管を識別する装置であって、
前記指定配管内に音波を放射する音波発生手段と、
前記マンホール内の管端から前記指定配管内に挿入された前記音波発生手段を、前記指定配管内の掘削露出部と対応した位置に移動させる移動手段と、
掘削露出させた配管の表面に接触させて前記音波発生手段が放射した音波を検出する音波検出手段と、
前記音波検出手段が検出した音波を増幅して出力する音響出力手段と、
を有することを特徴とする埋設管特定装置。
【請求項２】
前記音響出力手段は、前記音波検出手段が検出した前記音波の強さの程度を表示するレベル表示部を備えていることを特徴とする請求項１記載の埋設管特定装置。
【請求項３】
前記レベル表示部は、前記音波の強さの程度に応じて点灯する数が異なる複数の発光体からなることを特徴とする請求項２記載の埋設管特定装置。
【発明の詳細な説明】
【技術分野】
【０００１】
本発明は埋設管特定装置に係り、特に複数の配管が埋設された配管群の中から容易に指定埋設管を特定できることを特徴とする埋設管特定装置に関する。
【背景技術】
【０００２】
地中に敷設する通信ケーブル等は複数の配管内に収容されており、配管群の端部は通信用マンホールに接続している。この既設の配管群は、配管中の通信ケーブルの容量が不足した場合に通信ケーブルを増やす必要があり、埋設管途中に分岐管あるいはマンホールを増設することがある。この場合、設置箇所の地面を掘り起こして配管群を露出させて、配管群の中から施工対象となる埋設管を特定する作業が必要となる。
【０００３】
配管群の中から施工対象となる配管を判別する方法として引用文献１が開示されている。この判別方法は施工対象となる埋設管端部の開口部から内部に音波を送出させ、施工箇所で露出した管の外表面に検知器を当てて漏洩音波の有無によって指定埋設管を判別することができる。
【特許文献１】特開平９−５６０４５号公報
【発明の開示】
【発明が解決しようとする課題】
【０００４】
しかしながら、複数の埋設管が敷設されている場合には図３（１）に示すように埋設管１の周囲を覆う防護コンクリート２が形成されていることがある。この防護コンクリート２は配管を地中に浅く埋める箇所で車両が通過する際に配管が撓むことによって管が損傷することを防止するためのものである。また、掘削工事等による振動や衝撃力によって地中に埋設されたケーブルを収容する埋設管１が損傷しないようにこれを防護するためのものである。
【０００５】
また、図３（２）に示すように、埋設管１は地中の配水管３など他の埋設物を避けるように曲げて敷設する。これにより埋設管１同士が接触することがある。さらに、埋設管１を埋設する際に石４が埋設管１間に接触した状態で埋設することがある。
【０００６】
このような場合に、埋設管１の開口部から音波を発生させると、音波が隣接する埋設管１に伝わり、施工対象となる配管と隣接管との判別が困難となり正確に配管を特定することができない場合がある。
【０００７】
そこで、本発明は上記従来の問題点に着目し、地中に埋設した配管群の中から指定された配管を掘削された埋設管の途中で容易に特定できるようにした埋設管特定装置を提供することを目的としている。
【課題を解決するための手段】
【０００８】
本発明に係る埋設管特定装置によれば、マンホール間において掘削露出させた複数の埋設配管についての指定配管を識別する装置であって、前記指定配管内に音波を放射する音波発生手段と、前記マンホール内の管端から前記指定配管内に挿入された前記音波発生手段を、前記指定配管内の掘削露出部と対応した位置に移動させる移動手段と、掘削露出させた配管の表面に接触させて前記音波発生手段が放射した音波を検出する音波検出手段と、前記音波検出手段が検出した音波を増幅して出力する音響出力手段と、を有する構成としている。
【０００９】
この場合において、前記音響出力手段は、前記音波検出手段が検出した前記音波の強さの程度を表示するレベル表示部を備えるようにすればよい。また、前記レベル表示部は、前記音波の強さの程度に応じて点灯する数が異なる複数の発光体からなるようにすればよい。
【発明の効果】
【００１０】
本発明に係る埋設管特定装置によれば、音源となる音波発生手段が掘削露出位置まで挿入されるため、音波が他の配管に伝播したとしても検出する音波の強さに明確な差を生じる。したがって、既設管を損傷することなく指定管を特定することができる。
【００１１】
また、検出した音波の強さの程度はレベル表示することにより、配管の判別を聴覚に加えて、視覚によって判別することができる。したがって、施工箇所が騒音等でイヤホンによる判別が困難な場合でも施工対象となる指定配管を確実に特定することができる。さらに、レベル表示は複数のＬＥＤを点灯させているので、安価に製作でき、音波の強さの程度を見誤ることなく指定配管を判別できる。
【発明を実施するための最良の形態】
【００１２】
以下本発明に係る埋設管特定装置の具体的実施例について図面を参照して詳細に説明する。
図１は本実施形態に係る埋設管特定装置の構成を示す図である。図１に示すように、埋設管特定装置は埋設管内部から音波を発生する専用音源１０と埋設管の外表面から専用音源１０の音波を検出する特定装置１２とから構成されている。
【００１３】
図１（１）に示すように、専用音源１０の円筒部１４は外径が埋設管の管径の内径より小径とし、内部に音波を放射させる音波発生手段としてスピーカ１６が内蔵してある。スピーカ１６は音波発生手段であって電源とスイッチ部とスピーカ部を有している。このスピーカ１６はスイッチ１８を入れることによりスピーカ部から可聴音の音波が発生する。また、円筒部１４の開口部は、蓋１９で開口部を閉塞可能としている。蓋１９は締結手段２０を介して専用音源１０の外側に通線ロッド取り付け金具２２を形成している。通線ロッド取り付け金具２２は締結手段２４を介して通線ロッド２６と接続可能としてある。
【００１４】
通線ロッド２６は専用音源１０を移動させる移動手段であって、可撓性を有しており、他端側が図示しない巻き取りドラムに巻回してある。このドラムを回転させて通線ロッド２６の巻き取りあるいは送り出しができる。
【００１５】
また、専用音源１０は円筒部１４を防水構造としてある。円筒部１４と蓋１９との間にはパッキング２８を挟んで密封し、円筒部１４内部への浸水を防止するようにしている。
【００１６】
特定装置１２は図１（２）に示すように、本体３０とピックアップユニット３２とイヤホンユニット３４から構成されている。ピックアップユニット３２は専用音源１０が発生する音波を検出する音波検出手段を構成している。また、本体３０とイヤホンユニット３４とは、ピックアップユニット３２が検出した音波を増幅して出力する音響出力手段を構成している。
【００１７】
本体３０は携帯可能な箱状であり、正面にアンプ部スイッチ３６と、音量ボリュームツマミ３８と、電源スイッチ・感度ボリュームツマミ４０と、ピックアップユニット３２およびイヤホンユニット３４の差し込み口４２ａ、ｂが形成されている。また、本体３０の上面には音波の強さの程度を表示するレベル表示部４４が形成されている。
【００１８】
アンプ部スイッチ３６はアンプ電源のＯＮ・ＯＦＦを行う。音量ボリュームツマミ３８はイヤホンの音量を調整する。電源スイッチ・感度ボリュームツマミ４０は本体３０の電源のＯＮ・ＯＦＦと感度を高、中、低の設定に切替える。この感度設定は硬質ビニル管、塗覆装鋼管等の管種によって任意に設定できる。
【００１９】
ピックアップユニット３２は本体３０に対してコードによって接続されている。ピックアップユニット３２は掘削露出させた配管の外表面に当てて管内部から漏洩する専用音源１０の音波を集音し電気信号に変換して特定装置１２に送る。特定装置１２では前記電気信号をアンプによって増幅し、後述のイヤホンユニット３４あるいはレベル表示部４４へ出力する。
【００２０】
イヤホンユニット３４は本体３０で増幅した電気信号を音響として出力する。作業者はイヤホンで音響を聞くことができる。
レベル表示部４４は複数のＬＥＤ４８によって構成してある。レベル表示部４４はピックアップユニット３２の出力した電気信号を本体３０で増幅した複数のＬＥＤ４８により音波の強さをレベル表示する。レベル表示は複数の発光体を有している。レベル表示は音波の強さの程度に応じて発光体であるＬＥＤ４８の点灯する数を可変とし、例えば音波が大きいほど点灯するＬＥＤ４８の数が多くなるように設定している。また、ＬＥＤ４８は奥行きが長いカバー４６によって覆ってある。そして、ＬＥＤ４８は、カバー４６の奥に配設してあって、日当たりの良い明るい場所であっても点灯しているか否かを容易に見分けることができるようにしてある。このレベル表示部４４は施工箇所の騒音等により聴覚による識別が困難な場合に、誤判別を回避するためにＬＥＤ４８の点灯した数を比較することによって専用音源１０が挿入された配管を特定できる。
【００２１】
このような構成の埋設管特定装置を用いた特定方法は、次のようになる。まず、音波発生手段となる専用音源１０の蓋１９を外し、内部のスピーカ１６のスイッチ１８を入れて音波をスピーカ部より発生させる。音波を発生させた状態で専用音源１０を蓋１９で密栓する。
【００２２】
ついで、図２（１）に示すように、マンホール４９外部に設置した通線ロッド巻き取りドラム５０から延びた通線ロッド２６と、専用音源１０端部の通線ロッド取り付け金具２２とをボルトによる締結手段２４によって固定する。専用音源１０をマンホール４９内部の施工対象となる埋設管５２の開口部５４より挿入する。専用音源１０に接続した移動手段となる通線ロッド２６の送り出しによって、専用音源１０を指定配管内の掘削露出部と対応した位置まで移動させる。
【００２３】
なお、このとき施工箇所までの距離を路上から計測し通線ロッド２６の挿入長さをあらかじめ決めておく。または配管図面上から通線ロッド２６の挿入距離を算出してもよい。これにより、専用音源１０を施工箇所に正確に送ることができる。また、通線ロッド２６にはメートル単位でしるしを付しておくことで、ロッドの送り出しの長さを計測することができる。
【００２４】
一方、掘削穴５６内で露出した複数の埋設管５２の施工箇所では、次のように前述の音波を検出する。特定装置１２のアンプ部スイッチ３６を入れ、電源スイッチ・感度設定ボリュームツマミ４０を埋設管５２の管種によって感度をあらかじめ任意に設定しておく。
【００２５】
図２（２）に示すように、掘削露出させた複数の埋設管５２の外表面に音波検出手段となるピックアップユニット３２を順次押し当て埋設管５２内部から漏洩する音波を検索する。ピックアップユニット３２が埋設管５２内部から漏洩する集音を検出した際、ピックアップユニット３２は埋設管５２から漏洩する音波を集音し電気信号に変換して音響出力手段となる特定装置１２に送る。特定装置１２内部のアンプで電気信号を増幅して音響とし、イヤホンユニット３４に出力する。音量ボリュームツマミ３８でイヤホンユニット３４の音量を調整し、作業者は音響を聞くことができる。このとき複数の埋設管５２の外表面で音波を検出してイヤホンユニット３４で聞き分けることにより容易に指定配管を特定することができる。
【００２６】
また、現場周囲が騒音等でイヤホンユニット３４による施工対象となる埋設管５２の特定が困難な場合には、レベル表示部４４を用いる。ピックアップユニット３２を複数の掘削露出した配管の外表面に当ててＬＥＤ４８の点灯数を見分けることにより、埋設管５２を特定することができる。
【００２７】
このように上記実施例によれば、施工対象となる埋設管５２の開口部５４から施工箇所の埋設管５２内部まで専用音源１０を挿入して、施工箇所で埋設管５２内部から漏洩する音波を検出することにより指定配管を特定することができる。また、配管経路の途中で防護コンクリート等によって埋設管５２内部の音波が隣接する埋設管５２に伝播しやすい埋設管５２であっても、埋設管５２の施工箇所まで専用音源１０を挿入することにより、音波の伝播を回避して指定配管を容易に特定することができる。さらに、複数の配管群から施工対象となる埋設管５２を特定する際でも、施工箇所の埋設管５２内部から音波を発生させて検出することにより容易に配管を特定することができる。
【００２８】
また、聴覚に加えて視覚によって施工対象となる埋設管５２を特定することにより、埋設管５２の見誤りを回避することができる。したがって、誤判断による管の切断がなくなる。また、専用音源１０が小型のため、ケーブルの存在する埋設管であっても使用することができる。また、専用音源１０は防水構造となっているため、屈折した埋設管に水が貯留している場合でも使用することができる。
【図面の簡単な説明】
【００２９】
【図１】本実施形態に係る埋設管特定装置の構成図である。
【図２】本実施形態に係る埋設管特定装置の作業状態を示す図である。
【図３】埋設管の敷設状態を示す図である。
【符号の説明】
【００３０】
１………埋設管、２………防護コンクリート、３………配水管、４………石、１０………専用音源、１２………特定装置、１４………円筒部、１６………スピーカ、１８………スイッチ、１９………蓋、２０………締結手段、２２………通線ロッド取り付け金具、２４………締結手段、２６………通線ロッド、２８………パッキング、３０………本体、３２………ピックアップユニット、３４………イヤホンユニット、３６………アンプ部スイッチ、３８………音量ボリュームツマミ、４０………電源スイッチ・感度ボリュームツマミ、４２………差し込み口、４４………レベル表示部、４６………カバー、４８………ＬＥＤ、４９………マンホール、５０………巻き取りドラム、５２………埋設管、５４………開口部、５６………掘削穴。
【図１】
2005130569.tif 000003
【図２】
2005130569.tif 000004
【図３】
2005130569.tif 000005